(57)【特許請求の範囲】
【請求項１】
センサーデータを取得する他のデータ処理装置と通信する通信手段と、
前記センサーデータのデータ処理を実行するデータ処理手段と、
前記他のデータ処理装置を制御する制御手段と、を備え、
前記通信手段は、前記他のデータ処理装置の電池残量を受信し、
前記制御手段は、前記通信手段により受信した前記他のデータ処理装置の電池残量が閾値以上である場合、前記センサーデータの前記データ処理を開始するように前記他のデータ処理装置に指示し、前記他のデータ処理装置の電池残量が閾値以上ではない場合、前記センサーデータを送信するように前記他のデータ処理装置に指示し、
前記データ処理手段は、前記他のデータ処理装置の電池残量が閾値以上ではない場合、前記通信手段により前記他のデータ処理装置から受信したセンサーデータを前記データ処理することを特徴とするデータ処理装置。
【請求項２】
センサーデータを取得する他のデータ処理装置と通信する通信手段と、
前記センサーデータのデータ処理を実行し、当該データ処理によりユーザに表示する表示データを取得するデータ処理手段と、
前記他のデータ処理装置を制御する制御手段と、を備え、
前記通信手段は、前記他のデータ処理装置の電池残量を受信し、
前記制御手段は、前記通信手段により受信した前記他のデータ処理装置の電池残量が閾値以上である場合、前記センサーデータのデータ処理を開始し、当該データ処理により表示データを取得するように前記他のデータ処理装置に指示し、前記他のデータ処理装置の電池残量が閾値以上ではない場合、前記センサーデータを送信するように前記他のデータ処理装置に指示し、
前記データ処理手段は、前記他のデータ処理装置の電池残量が閾値以上ではない場合、前記通信手段により前記他のデータ処理装置から受信したセンサーデータをデータ処理し、当該データ処理により表示データを取得することを特徴とするデータ処理装置。
【請求項３】
前記制御手段は、前記データ処理の結果を送信するように、前記他のデータ処理装置に指示することを特徴とする請求項１又は２に記載のデータ処理装置。
【請求項４】
前記通信手段は、前記データ処理手段による前記センサーデータのデータ処理の結果を前記他のデータ処理装置に送信することを特徴とする請求項２又は３に記載のデータ処理装置。
【請求項５】
前記データ処理は、解析処理であることを特徴とする請求項１〜４のいずれか一項に記載のデータ処理装置。
【請求項６】
センサーデータを取得する検出手段と、
前記センサーデータのデータ処理を実行し、ユーザに表示する表示データを取得するデータ処理手段と、
他のデータ処理装置と通信する通信手段と、
電池残量を取得する電池残量取得手段と、を備え、
前記通信手段は、前記他のデータ処理装置からの要求に応じて、前記電池残量取得手段により取得した電池残量を前記他のデータ処理装置に送信し、
前記他のデータ処理装置からの指示にしたがって、前記検出手段により取得したセンサーデータを、前記データ処理手段によりデータ処理させ、表示データを取得させるか、前記通信手段により前記他のデータ処理装置に送信させるかを切り替える制御手段をさらに備えることを特徴とするデータ処理装置。
【請求項７】
前記通信手段は、前記データ処理装置からの指示にしたがって、前記検出手段により取得したセンサーデータのデータ処理を前記データ処理手段により実行した場合、そのデータ処理の結果を前記他のデータ処理装置に送信することを特徴とする請求項６に記載のデータ処理装置。
【請求項８】
前記データ処理は、解析処理であることを特徴とする請求項６又は７に記載のデータ処理装置。
【請求項９】
センサーデータを取得する他のデータ処理装置と通信する通信手段と、
前記センサーデータのデータ処理を実行するデータ処理手段と、
前記他のデータ処理装置を制御する制御手段と、
を備えたデータ処理装置のデータ処理方法であって、
前記通信手段がセンサーデータを取得する他のデータ処理装置の電池残量を受信するステップと、
前記通信手段が前記受信した前記他のデータ処理装置の電池残量が閾値以上である場合、前記制御手段が前記センサーデータの前記データ処理を開始するように、前記他のデータ処理装置に指示し、前記他のデータ処理装置の電池残量が閾値以上ではない場合、前記制御手段が前記センサーデータを送信するように前記他のデータ処理装置に指示し、前記通信手段が前記他のデータ処理装置から受信したセンサーデータを前記データ処理するステップと、
を含むことを特徴とするデータ処理方法。
【請求項１０】
センサーデータを取得する他のデータ処理装置と通信する通信手段と、
前記センサーデータのデータ処理を実行し、ユーザに表示する表示データを取得するデータ処理手段と、
前記他のデータ処理装置を制御する制御手段と、
を備えたデータ処理装置のデータ処理方法であって、
前記通信手段がセンサーデータを取得する他のデータ処理装置の電池残量を受信するステップと、
前記通信手段が前記受信した前記他のデータ処理装置の電池残量が閾値以上である場合、前記制御手段が前記センサーデータのデータ処理を開始し、表示データを取得するように、前記他のデータ処理装置に指示し、前記他のデータ処理装置の電池残量が閾値以上ではない場合、前記制御手段が前記センサーデータを送信するように前記他のデータ処理装置に指示し、前記通信手段が前記他のデータ処理装置から受信したセンサーデータをデータ処理し、表示データを取得するステップと、
を含むことを特徴とするデータ処理方法。
【請求項１１】
センサーデータを取得する検出手段と、
前記センサーデータのデータ処理を実行し、ユーザに表示する表示データを取得するデータ処理手段と、
他のデータ処理装置と通信する通信手段と、
電池残量を取得する電池残量取得手段と、
制御手段と、
を備えたデータ処理装置のデータ処理方法であって、
前記電池残量取得手段が他のデータ処理装置からの要求に応じて電池残量を取得し、前記通信手段が前記他のデータ処理装置に送信するステップと、
前記検出手段がセンサーデータを取得するステップと、
前記制御手段が前記他のデータ処理装置からの指示にしたがって、前記取得したセンサーデータを、データ処理し、表示データを取得するか、前記他のデータ処理装置に送信するかを切り替えるステップと、
を含むことを特徴とするデータ処理方法。
【請求項１２】
コンピュータに、
センサーデータを取得する他のデータ処理装置の電池残量を受信するステップと、
前記受信した前記他のデータ処理装置の電池残量が閾値以上である場合、前記センサーデータのデータ処理を開始するように、前記他のデータ処理装置に指示し、前記他のデータ処理装置の電池残量が閾値以上ではない場合、前記センサーデータを送信するように前記他のデータ処理装置に指示し、前記他のデータ処理装置から受信したセンサーデータを前記データ処理するステップと、
を実行させるためのプログラム。
【請求項１３】
コンピュータに、
センサーデータを取得する他のデータ処理装置の電池残量を受信するステップと、
前記受信した前記他のデータ処理装置の電池残量が閾値以上である場合、前記センサーデータのデータ処理を開始し、ユーザに表示する表示データを取得するように、前記他のデータ処理装置に指示し、前記他のデータ処理装置の電池残量が閾値以上ではない場合、前記センサーデータを送信するように前記他のデータ処理装置に指示し、前記他のデータ処理装置から受信したセンサーデータをデータ処理し、表示データを取得するステップと、
を実行させるためのプログラム。
【請求項１４】
コンピュータに、
電池残量を取得するステップと、
他のデータ処理装置からの要求に応じて、前記取得した電池残量を前記他のデータ処理装置に送信するステップと、
センサーデータを取得するステップと、
前記他のデータ処理装置からの指示にしたがって、前記取得したセンサーデータを、データ処理し、ユーザに表示する表示データを取得するか、前記他のデータ処理装置に送信するかを切り替えるステップと、
を実行させるためのプログラム。
【発明の詳細な説明】
【技術分野】
【０００１】
本発明は、データ処理装置、データ処理方法及びプログラムに関する。
【背景技術】
【０００２】
従来、外部装置が電子カメラに対して当該電子カメラの電池残量を示す情報を送信させて、前記電子カメラの電池残量が十分である場合、前記電子カメラから前記外部装置に画像データを転送させる電子カメラシステムが知られている（例えば、特許文献１参照）。
また近年、センサーを搭載した携帯型のデータ処理装置によりユーザの脈拍や動き等のセンサーデータを取得し、スマートフォン等の処理能力の高いデータ処理装置によりセンサーデータを解析して脈拍のグラフや歩数等を表示するデータ処理システムが知られている。
データ処理システムでは、センサーデータを取得するデータ処理装置の電池残量が十分であれば、解析を行うデータ処理装置へセンサーデータを送信している。
【先行技術文献】
【特許文献】
【０００３】
【特許文献１】特許第３９６２８６７号公報
【発明の概要】
【発明が解決しようとする課題】
【０００４】
しかしながら、センサーデータを取得するデータ処理装置の電池残量は十分でも、解析を行うデータ処理装置の電池残量が十分でなく、解析等のデータ処理を行えない場合もある。
このような場合、従来は電池の残量不足を通知するのみで、データ処理装置の充電を待たなければ、データ処理できなかった。そのため、システム全体としてデータ処理できる時間が少なかった。
【０００５】
本発明の課題は、長時間のデータ処理を可能とすることである。
【課題を解決するための手段】
【０００６】
本発明は、上記課題を解決するため、
センサーデータを取得する他のデータ処理装置と通信する通信手段と、
前記センサーデータのデータ処理を実行するデータ処理手段と、
前記他のデータ処理装置を制御する制御手段と、を備え、
前記通信手段は、前記他のデータ処理装置の電池残量を受信し、
前記制御手段は、前記通信手段により受信した前記他のデータ処理装置の電池残量が閾値以上である場合、前記センサーデータの前記データ処理を開始するように前記他のデータ処理装置に指示し、前記他のデータ処理装置の電池残量が閾値以上ではない場合、前記センサーデータを送信するように前記他のデータ処理装置に指示し、
前記データ処理手段は、前記他のデータ処理装置の電池残量が閾値以上ではない場合、前記通信手段により前記他のデータ処理装置から受信したセンサーデータを前記データ処理することを特徴とするデータ処理装置を提供できる。
【発明の効果】
【０００７】
本発明によれば、長時間のデータ処理が可能となる。
【図面の簡単な説明】
【０００８】
【図１】本発明の実施の形態のデータ処理システムの主な構成を機能ごとに示すブロック図である。
【図２】センサーデータのデータ処理を実行するときの第１データ処理装置の処理手順を示すフローチャートである。
【図３】センサーデータのデータ処理を実行するときの第２データ処理装置の処理手順を示すフローチャートである。
【発明を実施するための形態】
【０００９】
以下、本発明のデータ処理装置、データ処理方法及びプログラムの実施の形態について、図面を参照して説明する。
【００１０】
図１は、本発明の実施の形態のデータ処理装置を利用したデータ処理システム１００の主な構成を示す。
図１に示すように、データ処理システム１００は、マスターである第１データ処理装置１０と、マスターの制御下にあるスレーブである第２データ処理装置２０と、を備えている。
データ処理システム１００は、第２データ処理装置２０によりセンサーデータを取得し、取得したセンサーデータを第１データ処理装置１０又は第２データ処理装置２０によりデータ処理することができる。
【００１１】
第１データ処理装置１０としては、処理能力の高いデータ処理装置が好ましく、例えばスマートフォン、タブレット端末、パーソナルコンピューター等を使用することができる。
図１に示すように、第１データ処理装置１０は、制御部１１、記憶部１２、操作部１３、表示部１４、第１通信部１５、第２通信部１６及びデータ処理部１７を備えて構成されている。
【００１２】
制御部１１は、ＣＰＵ（Central Processing Unit）、ＲＡＭ（Random Access Memory）等から構成され、記憶部１２から各種プログラムを読み出して実行することにより、第１データ処理装置１０の各構成部及び第２データ処理装置２０を制御する。
【００１３】
制御部１１（制御手段）は、第１通信部１５により第２データ処理装置２０の電池残量を受信すると、受信した電池残量が閾値以上であるか否かを判別する。電池残量が閾値以上である場合、制御部１１は、センサーデータを取得してそのデータ処理を開始するように、第２データ処理装置２０に指示する。電池残量が閾値以上ではない場合、制御部１１は、センサーデータを送信するように、第２データ処理装置２０に指示し、第１通信部１５により受信したセンサーデータのデータ処理をデータ処理部１７により実行させる。
【００１４】
記憶部１２は、制御部１１により読み取り可能なプログラム、プログラムの実行時に用いられるファイル等を記憶している。記憶部１２としては、ハードディスク等の大容量メモリーを用いることができる。
例えば、記憶部１２は、データ処理部１７又は第２データ処理装置２０によるデータ処理の結果、第２データ処理装置２０により取得したセンサーデータ等を記憶している。
【００１５】
操作部１３は、ユーザの操作に応じた操作信号を生成し、制御部１１に出力する。操作部１３としては、キーパッド、キーボード、表示部１４と一体に構成されたタッチパネル等を用いることができる。
【００１６】
表示部１４は、制御部１１の指示にしたがって操作画面等を表示する。表示部１４としては、ＬＣＤ（Liquid Crystal Display）、ＯＥＬＤ（Organic Electro Luminescence Display）等を用いることができる。
【００１７】
第１通信部１５（通信手段）は、Bluetooth（登録商標）、Zigbee（登録商標）等の近距離型の無線通信方式により、第２データ処理装置２０と通信する。
【００１８】
第２通信部１６（通信手段）は、移動通信網や無線ＬＡＮ（Local Area Network）、有線ＬＡＮ、インターネット等のネットワークを経由して外部機器と通信する。
【００１９】
データ処理部１７（データ処理手段）は、一定のアルゴリズムに従って、第２データ処理装置２０により取得したセンサーデータのデータ処理を実行する。データ処理部１７は、ＣＰＵ、ＲＡＭ等により構成することができる。
データ処理としては、例えばセンサーデータの解析処理、演算処理、グラフ等の表示データの作成処理等が挙げられる。
【００２０】
第２データ処理装置２０は１又は複数のセンサーを備えて、各センサーからセンサーデータを取得する。第２データ処理装置２０は、ユーザの身体に装着しやすいように、ウォッチ型、メガネ型、ペンダント型等であってもよい。
第２データ処理装置２０は、図１に示すように制御部２１、記憶部２２、操作部２３、表示部２４、第１通信部２５、検出部２６、データ処理部２７及び電池残量取得部２８を備えている。
【００２１】
制御部２１は、ＣＰＵ（Central Processing Unit）、ＲＡＭ（Random Access Memory）等から構成され、記憶部２２から各種プログラムを読み出して実行することにより、第２データ処理装置２０の各構成部を制御する。
【００２２】
制御部２１（制御手段）は、第１データ処理装置１０からの指示に従って、検出部２６により取得したセンサーデータを、データ処理部２７によりデータ処理させるか、第１通信部２５により第１データ処理装置１０に送信させるかを切り替える。
【００２３】
記憶部２２、操作部２３及び表示部２４は、それぞれ第１データ処理装置１０の記憶部１２、操作部１３及び表示部１４と同様の構成であるので、詳細な説明を省略する。
【００２４】
第１通信部２５（通信手段）は、第１データ処理装置１０の第１通信部１５と同じ近距離型の無線通信方式により、第１データ処理装置１０と通信する。
【００２５】
検出部２６（検出手段）は、１又は複数のセンサーを備え、各センサーからセンサーデータを取得する。センサーデータとは、センサーがある現象や状態等を検出して出力したデータをいう。
図１は、検出部２６が加速度センサー２６１、ジャイロセンサー２６２及び磁気センサー２６３を備えて、ユーザの動きを解析できるセンサーデータを取得する例を示している。センサーはこれらに限定されず、データ処理の目的に応じて、温度センサー、圧力センサー等の様々なセンサーを使用することができる。
【００２６】
データ処理部２７（データ処理手段）は、第１データ処理装置１０のデータ処理部１７と同じ構成であるので、詳細な説明を省略する。
【００２７】
電池残量取得部２８（電池残量取得手段）は、第２データ処理装置２０の電池残量を取得する。電池残量取得部２８としては、電池の電流又は電圧を測定して残量を予測するＩＣ（Integrated Circuit）等を用いることができる。
【００２８】
図２は、センサーデータのデータ処理を行うときの第１データ処理装置１０の処理手順を示している。
図２に示すように、第１データ処理装置１０では、制御部１１がスレーブである第２データ処理装置２０の電池残量を要求する。第１通信部１５は、第２データ処理装置２０に電池残量の要求を送信し、第２データ処理装置２０から電池残量を受信する（ステップＳ１）。
【００２９】
制御部１１は、通信部１５により受信した第２データ処理装置２０の電池残量が、データ処理を完了できる十分な電池残量であるか否かを判定する（ステップＳ２）。具体的には、制御部１１は、一定のアルゴリズムのデータ処理を完了できるときの十分な電池残量を閾値として、受信した電池残量が閾値以上であるか否かを判定する。
【００３０】
受信した電池残量が閾値以上であり、十分な電池残量であった場合（ステップＳ２：Ｙ）、制御部１１はスレーブである第２データ処理装置２０においてデータ処理を実行する設定に切り替える。
まず、制御部１１は、前回の判定時も第２データ処理装置２０の電池残量がデータ処理できる十分な電池残量であったか否かを判定する（ステップＳ３）。
前回の電池残量が閾値以上ではなく、十分ではなかった場合（ステップＳ３：Ｎ）、マスターである第１データ処理装置１０においてデータ処理を実行する設定となっている。この設定を切り替えるため、制御部１１はスレーブである第２データ処理装置２０に対し、データ処理の開始を指示し（ステップＳ４）、マスター側のデータ処理の実行フラグをＯＦＦに切り替える（ステップＳ５）。
前回の電池残量も閾値以上であり、十分であった場合（ステップＳ３：Ｙ）、すでに第２データ処理装置２０においてデータ処理を実行する設定となっているため、特に設定の切り替えは行わずに次の処理（ステップＳ９）に移行する。
【００３１】
一方、受信した電池残量が閾値以上ではなく、十分な電池残量ではなかった場合（ステップＳ２：Ｎ）、制御部１１は、マスターである第１データ処理装置１０においてデータ処理を実行する設定に切り替える。
まず、制御部１１は、前回の判定時も第２データ処理装置２０の電池残量がデータ処理できる十分な電池残量であったか否かを判定する（ステップＳ６）。
前回の電池残量が閾値以上ではなく、十分ではなかった場合（ステップＳ６：Ｎ）、すでにマスターである第１データ処理装置１０においてデータ処理を実行する設定となっているため、特に設定の切り替えは行わずに次の処理（ステップＳ９）に移行する。
前回の電池残量が閾値以上であり、十分であった場合（ステップＳ６：Ｙ）、スレーブである第２データ処理装置２０においてデータ処理を実行する設定となっている。この設定を切り替えるため、制御部１１は第２データ処理装置２０に対し、データ処理の停止を指示し（ステップＳ７）、マスターのデータ処理の実行フラグをＯＮに切り替える（ステップＳ８）。
【００３２】
その後、制御部１１は、マスターのデータ処理の実行フラグがＯＦＦであれば（ステップＳ９：Ｎ）、データ処理の結果を送信するよう、第２データ処理装置２０に指示する（ステップＳ１０）。第１通信部１５がその指示情報を第２データ処理装置２０に送信し、その後、第１通信部１５によりデータ処理の結果を受信すると、表示部１４が受信したデータ処理の結果、例えば移動速度、歩数等を表示する（ステップＳ１１）。
【００３３】
マスターのデータ処理の実行フラグがＯＮであれば（ステップＳ９：Ｙ）、制御部１１は、センサーデータを送信するよう、第２データ処理装置２０に指示する。第１通信部１５がその指示情報を第２データ処理装置２０に送信し、その後、センサーデータを受信すると（ステップＳ１２）、データ処理部１７がセンサーデータのデータ処理を実行する（ステップＳ１３）。例えば、データ処理部１７は、第２データ処理装置２０から送信された加速度センサー２６１、ジャイロセンサー２６２及び磁気センサー２６３のセンサーデータをアルゴリズムにしたがってデータ処理し、ユーザの移動速度、歩数等を解析する。
データ処理が終了すると、第１通信部１５がデータ処理の結果を第２データ処理装置２０に送信する。また、表示部１４が受信したデータ処理の結果を表示する（ステップＳ１４）。
【００３４】
図３は、センサーデータのデータ処理を行うときの第２データ処理装置２０の処理手順を示している。
図３に示すように、第２データ処理装置２０では、第１通信部２５が第１データ処理装置１０からの電池残量の要求を受信すると（ステップＳ２１：Ｙ）、電池残量取得部２８が第２データ処理装置２０の電源から電池残量を取得する。電池残量取得部２８により取得した電池残量を、第１通信部２５が第１データ処理装置１０に送信する（ステップＳ２２）。
【００３５】
その後、第１データ処理装置１０からデータ処理の開始又は停止が指示されると、制御部２１はこの指示に応じてデータ処理を実行するか、センサーデータを送信するかを切り替える。
具体的には、制御部２１は、データ処理の指示が開始である場合（ステップＳ２３：Ａ）、スレーブ側のデータ処理の実行フラグをＯＮに設定する（ステップＳ２４）。また、データ処理の指示が停止である場合（ステップＳ２３：Ｂ）、制御部２１はスレーブ側のデータ処理の実行フラグをＯＦＦに設定する（ステップＳ２５）。
【００３６】
データ処理の実行フラグがＯＮである場合（ステップＳ２６：Ｙ）、検出部２６がセンサーデータを取得し（ステップＳ２７）、データ処理部２７が検出部２６により取得したセンサーデータのデータ処理を実行する（ステップＳ２８）。第１通信部２５は、データ処理部２７によるデータ処理の結果を第１データ処理装置１０へ送信する。また、表示部２４がデータ処理の結果を表示する（ステップＳ２９）。
【００３７】
データ処理の実行フラグがＯＦＦである場合（ステップＳ２６：Ｎ）、検出部２６がセンサーデータを取得し（ステップＳ３０）、取得したセンサーデータを第１通信部２５が第１データ処理装置１０に送信する（ステップＳ３１）。その後、第１通信部２５が第１データ処理装置１０からデータ処理の結果を受信すると、受信したデータ処理の結果を表示部２４が表示する（ステップＳ３２）。
【００３８】
以上のように、上記データ処理システム１００において、本実施の形態の第１データ処理装置１０は、第２データ処理装置２０と通信する第１通信部１５と、第２データ処理装置２０を制御する制御部１１と、を備え、第１通信部１５は、第２データ処理装置２０の電池残量を受信し、制御部１１は、第１通信部１５により受信した第２データ処理装置２０の電池残量が閾値以上である場合、センサーデータのデータ処理を開始するように第２データ処理装置に指示し、第２データ処理装置２０の電池残量が閾値以上ではない場合、前記センサーデータを送信するように第２データ処理装置２０に指示し、データ処理部１７は、第２データ処理装置２０の電池残量が閾値以上ではない場合、第１通信部１５により第２データ処理装置２０から受信したセンサーデータをデータ処理する。
【００３９】
また、本実施の形態の第２データ処理装置２０は、センサーデータを取得する検出部２６と、センサーデータのデータ処理を実行するデータ処理部２７と、第１データ処理装置１０と通信する第１通信部２５と、電池残量を取得する電池残量取得部２８と、を備え、第１通信部２５は、第１データ処理装置１０からの要求に応じて、電池残量取得部２８により取得した電池残量を第１データ処理装置１０に送信し、第１データ処理装置１０からの指示にしたがって、検出部２６により取得したセンサーデータを、データ処理部２７によりデータ処理させるか、第１通信部２５により他のデータ処理装置１０に送信させるかを切り替える制御部２１をさらに備えている。
【００４０】
これにより、電池の残量不足に至るまで第２データ処理装置２０によりデータ処理を実行することができ、第２データ処理装置２０の電力を効率的に消費することができる。第２データ処理装置２０の電池が残量不足に至ると、第１データ処理装置１０においてデータ処理することができるため、データ処理システム１００全体として省電力化を図って、長時間のデータ処理を行うことができる。例えば、データ処理を実行するＣＰＵのデューティ比を５０％として、そのうちのデータ処理が占める割合を８０％とすると、第２データ処理装置２０においてデータ処理する場合としない場合とでは、データ処理システム１００全体で最大４０％の省電力を図ることができる。この省電力化により、長時間のデータ処理を行うことが可能になる。
【００４１】
上記実施の形態において、第１データ処理装置１０の制御部１１は、データ処理の結果を送信するように、第２データ処理装置２０に指示する。
第２データ処理装置２０の第１通信部２５は、第１データ処理装置１０からの指示にしたがって、検出部２６により取得したセンサーデータのデータ処理をデータ処理部２７により実行した場合、そのデータ処理の結果を第１データ処理装置１０に送信する。
これにより、第１データ処理装置１０においてデータ処理の結果をユーザに通知することができる。
【００４２】
また、第１データ処理装置１０の第１通信部１５は、データ処理部１７によるセンサーデータのデータ処理の結果を第２データ処理装置２０に送信する。
これにより、第２データ処理装置２０においても、データ処理の結果をユーザに通知することができる。
【００４３】
また、データ処理は、解析処理である。
これにより、センサーデータの解析結果をユーザに通知することができる。
【００４４】
上記実施の形態は本発明の好適な一例であり、これに限定されない。本発明の主旨を逸脱しない範囲で適宜変更可能である。
例えば、第２データ処理装置２０においても、第１データ処理装置１０の第２通信部１６と同様の第２通信部（通信手段）を備え、第１通信部ではなく、第２通信部により第１データ処理装置１０と通信してセンサーデータや指示情報等をやりとりしてもよい。
【００４５】
また、上記実施の形態においては、第２データ処理装置２０が第１データ処理装置１０からの要求に応じて、当該第２データ処理装置２０の電池残量を第１データ処理装置に送信し、第１データ処理装置１０からの指示にしたがって、取得したセンサーデータを、自身でデータ処理するか、第１データ処理装置１０に送信させるかを切り替えた。しかしながら、第２データ処理装置２０の制御部２１が、電池残量取得部２８により取得した第２データ処理装置２０の電池残量が閾値以上か否かを判定し、閾値以上である場合、取得したセンサーデータをデータ処理部２７によりデータ処理させ、閾値以上ではない場合、センサーデータを第１通信部２５により第１データ処理装置１０に送信させることもできる。
【００４６】
本発明のいくつかの実施の形態を説明したが、本発明の範囲は上記実施の形態に限定されず、特許請求の範囲に記載した発明の範囲と当該範囲と均等の範囲を含む。
以下、この出願の願書に最初に添付した特許請求の範囲に記載した発明を付記する。下記付記における各請求項の番号は、この出願の願書に最初に添付した特許請求の範囲のとおりである。
【００４７】
＜付記＞
〔請求項１〕
前記センサーデータのデータ処理を実行するデータ処理手段と、
前記他のデータ処理装置を制御する制御手段と、を備え、
前記通信手段は、前記他のデータ処理装置の電池残量を受信し、
前記制御手段は、前記通信手段により受信した前記他のデータ処理装置の電池残量が閾値以上である場合、前記センサーデータのデータ処理を開始するように前記他のデータ処理装置に指示し、前記他のデータ処理装置の電池残量が閾値以上ではない場合、前記センサーデータを送信するように前記他のデータ処理装置に指示し、
前記データ処理手段は、前記他のデータ処理装置の電池残量が閾値以上ではない場合、前記通信手段により前記他のデータ処理装置から受信したセンサーデータをデータ処理することを特徴とするデータ処理装置。
〔請求項２〕
前記制御手段は、前記データ処理の結果を送信するように、前記他のデータ処理装置に指示することを特徴とする請求項１に記載のデータ処理装置。
〔請求項３〕
前記通信手段は、前記データ処理手段による前記センサーデータのデータ処理の結果を前記他のデータ処理装置に送信することを特徴とする請求項１又は２に記載のデータ処理装置。
〔請求項４〕
前記データ処理は、解析処理であることを特徴とする請求項１〜３のいずれか一項に記載のデータ処理装置。
〔請求項５〕
センサーデータを取得する検出手段と、
前記センサーデータのデータ処理を実行するデータ処理手段と、
他のデータ処理装置と通信する通信手段と、
電池残量を取得する電池残量取得手段と、を備え、
前記通信手段は、前記他のデータ処理装置からの要求に応じて、前記電池残量取得手段により取得した電池残量を前記他のデータ処理装置に送信し、
前記他のデータ処理装置からの指示にしたがって、前記検出手段により取得したセンサーデータを、前記データ処理手段によりデータ処理させるか、前記通信手段により前記他のデータ処理装置に送信させるかを切り替える制御手段をさらに備えることを特徴とするデータ処理装置。
〔請求項６〕
前記通信手段は、前記データ処理装置からの指示にしたがって、前記検出手段により取得したセンサーデータのデータ処理を前記データ処理手段により実行した場合、そのデータ処理の結果を前記他のデータ処理装置に送信することを特徴とする請求項５に記載のデータ処理装置。
〔請求項７〕
前記データ処理は、解析処理であることを特徴とする請求項５又は６に記載のデータ処理装置。
〔請求項８〕
センサーデータを取得する検出手段と、
前記センサーデータのデータ処理を実行するデータ処理手段と、
他のデータ処理装置と通信する通信手段と、
電池残量を取得する電池残量取得手段と、
前記電池残量取得手段により取得した電池残量が閾値以上である場合、前記検出手段により取得したセンサーデータを前記データ処理手段によりデータ処理させ、前記電池残量が閾値以上ではない場合、前記センサーデータを前記通信手段により前記他のデータ処理装置に送信させる制御手段と、
を備えたことを特徴とするデータ処理装置。
〔請求項９〕
センサーデータを取得する他のデータ処理装置の電池残量を受信するステップと、
前記受信した前記他のデータ処理装置の電池残量が閾値以上である場合、前記センサーデータのデータ処理を開始するように、前記他のデータ処理装置に指示し、前記他のデータ処理装置の電池残量が閾値以上ではない場合、前記センサーデータを送信するように前記他のデータ処理装置に指示し、前記他のデータ処理装置から受信したセンサーデータをデータ処理するステップと、
を含むことを特徴とするデータ処理方法。
〔請求項１０〕
他のデータ処理装置からの要求に応じて電池残量を取得し、前記他のデータ処理装置に送信するステップと、
センサーデータを取得するステップと、
前記他のデータ処理装置からの指示にしたがって、前記取得したセンサーデータを、データ処理するか、前記他のデータ処理装置に送信するかを切り替えるステップと、
を含むことを特徴とするデータ処理方法。
〔請求項１１〕
コンピュータに、
センサーデータを取得する他のデータ処理装置の電池残量を受信するステップと、
前記受信した前記他のデータ処理装置の電池残量が閾値以上である場合、前記センサーデータのデータ処理を開始するように、前記他のデータ処理装置に指示し、前記他のデータ処理装置の電池残量が閾値以上ではない場合、前記センサーデータを送信するように前記他のデータ処理装置に指示し、前記他のデータ処理装置から受信したセンサーデータをデータ処理するステップと、
を実行させるためのプログラム。
〔請求項１２〕
コンピュータに、
電池残量を取得するステップと、
他のデータ処理装置からの要求に応じて、前記取得した電池残量を前記他のデータ処理装置に送信するステップと、
センサーデータを取得するステップと、
前記他のデータ処理装置からの指示にしたがって、前記取得したセンサーデータを、データ処理するか、前記他のデータ処理装置に送信するかを切り替えるステップと、
を実行させるためのプログラム。
【符号の説明】
【００４８】
１００    データ処理システム
１０    第１データ処理装置
１１    制御部
１２    記憶部
１５    第１通信部
１７    データ処理部
２０    第２データ処理装置
２１    制御部
２２    記憶部
２５    第１通信部
２６    検出部
２７    データ処理部
２８    電池残量取得部
【図１】
0006569401.tif 000002
【図２】
0006569401.tif 000003
【図３】
0006569401.tif 000004